(57)【特許請求の範囲】
【請求項１】
車両用フードの外板を成すフードアウタパネルと、
前記フードアウタパネルよりも車両内側に配置され、外周部分に配置されると共に外縁が前記フードアウタパネルと接合され中央部に開口が形成されたパネル外周本体、前記開口の内側に前記パネル外周本体と互いに離間して配置された環状枠部、前記環状枠部の外周の周方向の複数箇所に離間して配置され前記環状枠部と前記パネル外周本体とを連結する連結部、前記環状枠部の内周側開口を複数の領域に区画する仕切部、及び、平面視で前記仕切部から前記複数の領域へ突出され、前記仕切部と一体的に形成された突出基部と前記突出基部の前記フードアウタパネル側に配置されて前記突出基部と前記フードアウタパネルとを接着する弾性を有する接着部とを備える突起部、を有するフードインナパネルと、
を備え、
前記突出基部の突出方向中間部における前記フードアウタパネルからの距離は、幅方向断面がハット状とされた前記仕切部の幅方向中央の平坦部における前記フードアウタパネルからの距離よりも近く、前記仕切部の幅方向両端における平坦部の前記フードアウタパネルからの距離よりも遠い、ことを特徴とする、
車両用フード構造。
【請求項２】
車両用フードの外板を成すフードアウタパネルと、
前記フードアウタパネルよりも車両内側に配置され、外周部分に配置されると共に外縁が前記フードアウタパネルと接合され中央部に開口が形成されたパネル外周本体、前記開口の内側に前記パネル外周本体と互いに離間して配置された環状枠部、前記環状枠部の外周の周方向の複数箇所に離間して配置され前記環状枠部と前記パネル外周本体とを連結する連結部、前記環状枠部の内周側開口を複数の領域に区画する仕切部、及び、平面視で前記仕切部から前記複数の領域へ突出され、前記仕切部と一体的に形成され前記フードアウタパネル側に開口し前記突出方向と直交する断面がハット状とされた突出基部と前記突出基部の前記フードアウタパネル側に配置されて前記突出基部と前記フードアウタパネルとを接着する弾性を有する接着部とを備える突起部、を有するフードインナパネルと、
を備えた車両用フード構造。
【発明の詳細な説明】
【技術分野】
【０００１】
本発明は、車両用フード構造に関する。
【背景技術】
【０００２】
車両フードのインナパネルとして、下記特許文献１には、六角形のリブが形成されリブ間が開口されているものが開示されている。このように開口を形成することにより、フードインナパネルの軽量化を図ることができ、歩行者保護性能を向上させることができる。しかしながら、開口が大きい場合、車両フードのデント性能が低下してしまう。
【先行技術文献】
【特許文献】
【０００３】
【特許文献１】特開２００５−１９３８６３号公報
【発明の概要】
【発明が解決しようとする課題】
【０００４】
本発明は上記事実を考慮し、歩行者保護性能及びデント性能を向上させる車両用フード構造を得ることが目的である。
【課題を解決するための手段】
【０００５】
請求項１に記載の発明の車両用フード構造は、車両用フードの外板を成すフードアウタパネルと、前記フードアウタパネルよりも車両内側に配置され、外周部分に配置されると共に外縁が前記フードアウタパネルと接合され中央部に開口が形成されたパネル外周本体、前記開口の内側に前記パネル外周本体と互いに離間して配置された環状枠部、前記環状枠部の外周の周方向の複数箇所に離間して配置され前記環状枠部と前記パネル外周本体とを連結する連結部、前記環状枠部の内周側開口を複数の領域に区画する仕切部、及び、平面視で前記仕切部から前記複数の領域へ突出され、前記仕切部と一体的に形成された突出基部と前記突出基部の前記フードアウタパネル側に配置されて前記突出基部と前記フードアウタパネルとを接着する弾性を有する接着部とを備える突起部、を有するフードインナパネルと、を備え、前記突出基部の突出方向中間部における前記フードアウタパネルからの距離は、幅方向断面がハット状とされた前記仕切部の幅方向中央の平坦部における前記フードアウタパネルからの距離よりも近く、前記仕切部の幅方向両端における平坦部の前記フードアウタパネルからの距離よりも遠い、ことを特徴とする。
請求項２に記載の発明の車両用フード構造は、車両用フードの外板を成すフードアウタパネルと、前記フードアウタパネルよりも車両内側に配置され、外周部分に配置されると共に外縁が前記フードアウタパネルと接合され中央部に開口が形成されたパネル外周本体、前記開口の内側に前記パネル外周本体と互いに離間して配置された環状枠部、前記環状枠部の外周の周方向の複数箇所に離間して配置され前記環状枠部と前記パネル外周本体とを連結する連結部、前記環状枠部の内周側開口を複数の領域に区画する仕切部、及び、平面視で前記仕切部から前記複数の領域へ突出され、前記仕切部と一体的に形成され前記フードアウタパネル側に開口し前記突出方向と直交する断面がハット状とされた突出基部と前記突出基部の前記フードアウタパネル側に配置されて前記突出基部と前記フードアウタパネルとを接着する弾性を有する接着部とを備える突起部、を有するフードインナパネルと、を備えている。
【０００６】
請求項１に係る車両用フード構造では、フードインナパネルは、パネル外周本体、環状枠部、及び連結部を有している。パネル外周本体は、フードインナパネルの外周部分に配置されると共に外縁がフードアウタパネルと接合されており、中央部に開口が形成されている。環状枠部は、パネル外周本体に形成された開口の内側に、パネル外周本体と離間して配置されており、連結部によってパネル外周本体と連結されている。環状枠部の内周側開口は、仕切部によって複数の領域に区画されており、仕切部から複数の領域へ突起部が突出されている。
【０００７】
請求項１に係る車両用フード構造によれば、フードインナパネルの中央部に、開口及び内側開口が形成されていて、その内側に環状枠部、仕切部が配置されているので、フードインナパネルの軽量化を図ることができる。また、環状枠部は、連結部によってパネル外周本体と連結されているので、パネル外周本体と環状枠部との結合部の剛性を低くすることができる。したがって、環状枠部の内側に歩行者が衝突した場合に、衝突荷重がパネル外周本体へと伝搬されることが抑制され、歩行者が衝突した時の衝撃（反力）を緩和することができる。
【０００８】
また、請求項１に係る車両用フード構造は、突起部が仕切部から前記複数の領域へ突出されてフードアウタパネルと接合されている。したがって、フードアウタパネルの外側からインナパネル側へ荷重が入力された場合に、突起部で当該荷重の入力を受けることができ、車両用フードのデント性能を高めることができる。
【発明の効果】
【０００９】
本発明係る車両用フード構造は上記構成としたので、フードの歩行者保護性能を向上させつつデント性能も高めることができる。
【図面の簡単な説明】
【００１０】
【図１】本実施形態の車両用フード構造の縦断面図である。
【図２】本実施形態の車両用フード構造のフードインナパネルを車両上方側から見た平面図である。
【図３】（Ａ）は仕切部の断面図であり、（Ｂ）は突起部の断面図であり、（Ｃ）は連結部の断面であり、（Ｄ）は連結部の高さを変更することによる断面形状の変化を説明する断面図である。
【図４】本実施形態の車両用フード構造の（Ａ）は突起部近傍を拡大した斜視図であり、（Ｂ）は図４（Ａ）の（Ｂ）−（Ｂ）線断面図である。
【図５】本実施形態の車両用フード構造の環状突起部近傍を拡大した斜視図である。
【発明を実施するための形態】
【００１１】
以下、図面を用いて、本実施形態に係る車両用フード構造について説明する。なお、図中において適宜示される矢印ＦＲは車両前方側を示しており、矢印ＵＰは車両上方側を示している。
【００１２】
図１に示されるように、自動車(車両）車両本体の前部には、エンジンルームの上方を覆うように、本実施形態に係る車両用フード構造が適用されたフード１２が設けられている。フード１２は、車両前後方向の後端部に設けられた左右一対のヒンジアーム（図示省略）により、車両本体に対して前端部１２Ａが車両上下方向に開閉可能とされている。
【００１３】
フード１２は、車両上側（車両外側）に車両幅方向及び車両前後方向に沿って配置されるフードアウタパネル２２と、このフードアウタパネル２２の車両下側で車両幅方向及び車両前後方向に沿って配置されるフードインナパネル３０を備えている。
【００１４】
フードアウタパネル２２は、車両上方に向かって凸になるように緩やかに湾曲する形状とされており、車体の外板（外観形状）の一部を成している。これに対し、フードインナパネル３０は、フードアウタパネル２２よりも車体内側（下側）に配設されており、フードインナパネル３０の周縁部３２とフードアウタパネル２２の周縁部２４とがヘミング加工により一体化されることで閉断面構造に形成されている。
【００１５】
図２に示されるように、フードインナパネル３０は、パネル外周本体３４、環状枠部３６、仕切部３８、及び連結部５０を備えている。パネル外周本体３４、環状枠部３６、仕切部３８、及び連結部５０は、一体的に形成されている。
【００１６】
パネル外周本体３４は、フードインナパネル３０の外周部分を構成しており、中央部に開口３４Ａが形成されている。開口３４Ａには、環状枠部３６が配置されている。環状枠部３６は、開口３４Ａに沿った環状とされており、パネル外周本体３４と離間して配置されている。環状枠部３６の断面は、図３（Ａ）に示されるように、フードアウタパネル２２側に開口する略ハット状とされている。
【００１７】
環状枠部３６の内側には、内周側開口３６Ａが形成されている。内周側開口３６Ａには、この内周側開口３６Ａを区画するように仕切部３８が設けられている。仕切部３８は、車両前後方向に延出される縦仕切部３８Ａと、車両幅方向に延出される横仕切部３８Ｂと、を有している。縦仕切部３８Ａは、一端が環状枠部３６の前側に連結され、他端が環状枠部３６の後側に連結されている。本実施形態では、縦仕切部３８Ａは５本設けられている。横仕切部３８Ｂは、最も車両幅方向外側に配置されている縦仕切部３８Ａの中間部同士を連結している。縦仕切部３８Ａ及び横仕切部３８Ｂの断面についても、環状枠部３６と同様に、フードアウタパネル２２側に開口する略ハット状とされている（図示省略）。縦仕切部３８Ａ及び横仕切部３８Ｂにより、内周側開口３６Ａが複数の個別開口３６Ｂに区画されている。
【００１８】
縦仕切部３８Ａには、各個別開口３６Ｂへ各々突出する突起部４０が形成されている。また、横仕切部３８Ｂにも、前側の個別開口３６Ｂへ各々突出する突起部４０が形成されている。突起部４０は、図４（Ａ）に示されるように、仕切部３８（縦仕切部３８Ａ、横仕切部３８Ｂ）と一体的に形成された突出基部４２と、突出基部４２のフードアウタパネル２２側に配置された接着部４４を備えている。突出基部４２は、図３（Ｂ）に示されるように、フードアウタパネル２２側に開口する略ハット状とされている。図４（Ｂ）に示されるように、接着部４４は、突出基部４２とフードアウタパネル２２の間に配置され、両者を接着している。接着部４４は、弾性を有する接着剤（マスチック等）で形成することができる。
【００１９】
図２に示されるように、環状枠部３６は、連結部５０を介してパネル外周本体３４と連結されている。以下、連結部５０よりも内側部分（環状枠部３６から内側部分）を内側島部３５と称する。連結部５０は、環状枠部３６の外周に複数配置されている。本実施形態では、前側に１０カ所、後側に３カ所、後側の車両幅方向両端に各々１カ所（計２カ所）に配置されている。各連結部５０は、図３（Ｃ）に示されるように、フードアウタパネル２２側に開口する略ハット状とされている。
【００２０】
図１に示されるように、車両前側の連結部５０は、前方から後方へ向かうにつれてフードアウタパネル２２へ近づくように傾斜し、車両後側の連結部５０は、前方から後方へ向かうにつれてフードアウタパネル２２から遠ざかるように傾斜している。したがって、フードインナパネル３０の各部のうち、前後の連結部５０の間に配置されている部分、すなわち、内側島部３５が、最もフードアウタパネル２２と接近して配置されている。
【００２１】
環状枠部３６の外周には、複数の環状突起部５４が形成されている。環状突起部５４は、環状枠部３６の外周の連結部５０が形成されていない部分から開口３４Ａへ突出されている。図５に示されるように、環状突起部５４は、突起部４０と同様に、環状枠部３６と一体的に形成された環状突出基部５６と、環状突出基部５６のフードアウタパネル２２側に配置された環状接着部５８を備えている。環状突出基部５６は、フードアウタパネル２２側に開口する略ハット状とされている。環状接着部５８は、環状突出基部５６とフードアウタパネル２２の間に配置され、両者を接着している。環状接着部５８は、弾性を有する接着剤（マスチック等）で形成することができる。
【００２２】
図１に示されるように、フードインナパネル３０の車両前方部分を構成するパネル外周本体３４は、車両内側に凸となるように屈曲されており、フードアウタパネル２２との間に、前方中空部１２Ｒが形成されている。パネル外周本体３４の前方車両幅方向の中央には、フード１２のロック機構の一部であるストライカ１４を挿通させるための穴部３４Ｈが形成されている。ストライカ１４は、パネル外周本体３４とフードアウタパネル２２の間に配置されたストライカベース１４Ａに取り付けられ、穴部３４Ｈに挿通されてフードインナパネル３０の外側（下側）に突出されている。ストライカベース１４Ａとパネル外周本体３４の間には、ロックリインフォースメント１４Ｂが配設されている。ロックリインフォースメント１４Ｂにも、ストライカ１４を挿通させるための穴部１４Ｈが穴部３４Ｈに対応する位置に形成されている。
【００２３】
次に、本実施形態の作用並びに効果について説明する。
【００２４】
上記構成のフード１２の内側島部３５に対応する領域に車両外側から歩行者が衝突すると、フードアウタパネル２２及びフードインナパネル３０に衝突荷重が入力される。ここで、フードインナパネル３０については、内側島部３５に衝突荷重が入力されるが、内側島部３５には個別開口３６Ｂが形成されていて、内側島部３５の質量は小さくなっている。また、内側島部３５は連結部５０を介してパネル外周本体３４と連結されているので、内側島部３５とパネル外周本体３４の間の結合部の剛性は、低くなっている。
【００２５】
したがって、歩行者が衝突した場合に、衝突荷重が内側島部３５からパネル外周本体へと伝搬されることが抑制されることにより、慣性マスが低減され、歩行者へ作用する反力は小さくなり、歩行者が衝突した時の衝撃を緩和することができる。これにより、頭部傷害値（ＨＩＣ：Head Impact Criteria）を低減することができ、歩行者保護性能を向上させることができる。また、内側島部３５の質量が小さいので、フードインナパネル３０の軽量化も図ることができる。
【００２６】
一方、フードインナパネル３０の軽量化に寄与する個別開口３６Ｂの各々には、仕切部３８から突起部４０が突出されており、この突起部４０はフードアウタパネル２２と接合されている。したがって、フードアウタパネル２２の外側からフードインナパネル３０側へ荷重が入力された場合に、突起部４０で当該荷重の入力を受けることができる。これにより、フード１２のデント性能を高めることができる。
【００２７】
また、本実施形態では、環状枠部３６の連結部５０が形成されていない部分から開口３４Ａへ環状突起部５４が突出されていて、フードアウタパネル２２と接着されている。したがって、フードアウタパネル２２の外側からフードインナパネル３０側へ荷重が入力された場合に、環状突起部５４で当該荷重の入力を受けることができる。これにより、フード１２のデント性能をさらに高めることができる。
【００２８】
なお、環状枠部３６とパネル外周本体３４の間の接合部の剛性は、連結部５０の位置や本数、連結部５０の断面形状を変更することにより、調整することができる。例えば、連結部５０の本数を増やせば結合部の剛性を高くすることができ、減らせば結合部の剛性を低くすることができる。また、図３（Ｄ）に示されるように、断面ハット状の連結部５０の高さＨを高くすることにより結合部の剛性を高くすることができ、低くすることにより結合部の剛性を低くすることができる。
【符号の説明】
【００２９】
１２   フード（車両用フード）
２２   フードアウタパネル
３０   フードインナパネル
３４   パネル外周本体
３４Ａ 開口
３６   環状枠部
３６Ａ 内周側開口
３６Ｂ 個別開口（領域）
３８   仕切部
４０   突起部
５０   連結部
【図１】
0006354557.tif 000002
【図２】
0006354557.tif 000003
【図３】
0006354557.tif 000004
【図４】
0006354557.tif 000005
【図５】
0006354557.tif 000006